(57)【要約】【課題】携帯電子機器の筐体の耐加圧剛性を高め、外力による圧縮荷重を受けても変形を抑制し、破損を防止する。【解決手段】表示装置３５を有する表示部３０と、表示部３０を保持するフレーム４０と、表示部３０及びフレーム４０を内蔵する筐体３とを備える携帯電子機器１であって、表示部３０の端部には係止部３２が設けられ、フレーム４０の端部には係止部３２と係合する突出部４３が表示部３０よりも外側に凸設され、突出部４３はフレーム４０の内壁面に当接されるので、耐加圧剛性を高めることができる。【選択図】図２
2008288972.tif 000002
【特許請求の範囲】
【請求項１】
表示装置を有する表示部と、
前記表示部を保持するフレームと、
前記表示部及び前記フレームを内蔵する筐体とを備える携帯電子機器であって、
前記表示部の端部には係止部が設けられ、
前記フレームの端部には前記係止部と係合する突出部が前記表示部よりも外側に凸設され、
前記突出部は前記フレームの内壁面に当接されることを特徴とする携帯電子機器。
【請求項２】
前記筐体は、前記表示部の前面または前記フレームの背面のいずれか一方に配置される第１のケースと、
前記表示部の前面または前記フレームの背面の他方に配置され、前記フレームの外周部において前記第１のケースと嵌合する第２のケースとからなり、
前記第１のケースには前記フレームの端部に当接するリブが設けられていることを特徴とする請求項１に記載の携帯電子機器。
【請求項３】
前記表示部は前記表示装置が嵌着される枠を備え、
前記係止部は前記枠の外周部に設けられることを特徴とする請求項１または２に記載の携帯電子機器。
【請求項４】
前記フレームの背面には前記表示装置と接続される回路基板が配置されることを特徴とする請求項１〜３のいずれか一項に記載の携帯電子機器。
【請求項５】
前記フレームには前記表示装置と前記回路基板とを接続する配線が挿通される挿通孔が設けられていることを特徴とする請求項４に記載の携帯電子機器。
【請求項６】
前記表示部を前記フレームの前面に配置して前記係止部を前記フレームの突出部に係合させ、
次に、前記フレームの背面に前記回路基板を配置し、前記表示装置と前記回路基板とを配線で接続し、
その後、前記表示部、前記フレーム、及び前記回路基板を内部に収納した状態で前記第１のケースと前記第２のケースとを嵌合させて一体に形成してなることを特徴とする請求項５に記載の携帯電子機器。
【発明の詳細な説明】
【技術分野】
【０００１】
本発明は、携帯電話機等の携帯電子機器に関する。
【背景技術】
【０００２】
ユーザの使い勝手を考慮し、薄型の表示部を有する携帯電話機が普及してきている（例えば特許文献１参照）。また、筐体の厚みを増したり、複数のリブを筐体内に設けたりすることで、薄型化した筐体の強度を増すことも提案されている（例えば、特許文献２参照）。
【特許文献１】特開２００１−１５６８９８号公報
【特許文献２】特開２００１−１１９４５５号公報
【発明の開示】
【発明が解決しようとする課題】
【０００３】
しかし、筐体を薄型化すると強度が低下し、筐体や内部基板が損傷するおそれがある。また、筐体の厚みを増すと、重量が増加し携行しにくくなるという問題があった。特に、表示部を有する筐体においては、表示部の外周の枠部分の幅が広くなり、表示部の面積が小さくなるという問題があった。
【０００４】
本発明の課題は、筐体の耐加圧剛性を高め、外力による圧縮荷重を受けても変形を抑制し、破損を防止することができる携帯電子機器を提供することである。
【課題を解決するための手段】
【０００５】
以上の課題を解決するため、請求項１に記載の発明は、表示装置を有する表示部と、前記表示部を保持するフレームと、前記表示部及び前記フレームを内蔵する筐体とを備える携帯電子機器であって、前記表示部の端部には係止部が設けられ、前記フレームの端部には前記係止部と係合する突出部が前記表示部よりも外側に凸設され、前記突出部は前記フレームの内壁面に当接されることを特徴とする。
【０００６】
請求項２に記載の発明は、請求項１に記載の携帯電子機器であって、前記筐体は、前記表示部の前面または前記フレームの背面のいずれか一方に配置される第１のケースと、前記表示部の前面または前記フレームの背面の他方に配置され、前記フレームの外周部において前記第１のケースと嵌合する第２のケースとからなり、前記第１のケースには前記フレームの端部に当接するリブが設けられていることを特徴とする。
【０００７】
請求項３に記載の発明は、請求項１または２に記載の携帯電子機器であって、前記表示部は前記表示装置が嵌着される枠を備え、前記係止部は前記枠の外周部に設けられることを特徴とする。
【０００８】
請求項４に記載の発明は、請求項１〜３のいずれか一項に記載の携帯電子機器であって、前記フレームの背面には前記表示装置と接続される回路基板が配置されることを特徴とする。
【０００９】
請求項５に記載の発明は、請求項４に記載の携帯電子機器であって、前記フレームには前記表示装置と前記回路基板とを接続する配線が挿通される挿通孔が設けられていることを特徴とする。
【００１０】
請求項６に記載の発明は、請求項５に記載の携帯電子機器であって、前記表示部を前記フレームの前面に配置して前記係止部を前記フレームの突出部に係合させ、次に、前記フレームの背面に前記回路基板を配置し、前記表示装置と前記回路基板とを配線で接続し、その後、前記表示部、前記フレーム、及び前記回路基板を内部に収納した状態で前記第１のケースと前記第２のケースとを嵌合させて一体に形成してなることを特徴とする。
【発明の効果】
【００１１】
本発明によれば、筐体の耐加圧剛性を高め、外力による圧縮荷重を受けても変形を抑制し、破損を防止することができる。
【発明を実施するための最良の形態】
【００１２】
以下、本発明の実施の形態について詳細に説明する。但し、以下に述べる実施形態には、本発明を実施するために技術的に好ましい種々の限定が付されているが、発明の範囲を以下の実施形態及び図示例に限定するものではない。
【００１３】
＜第１実施形態＞
図１は本発明の第１実施形態に係る携帯電子機器として、携帯電話機１を示す斜視図である。携帯電話機１は、前側面にキー操作部５が設けられた操作部筐体２と、前側面に表示画面６が設けられた表示部筐体３と、下側の操作部筐体２と上側の表示部筐体３とを回動可能に接続するヒンジ部４とからなる。携帯電話機１は２軸ヒンジタイプであり、表示部筐体３がヒンジ部４に対して上下方向の軸を中心に回転可能に設けられているとともに、ヒンジ部４に対して左右方向の軸を中心に回転可能に設けられている。
【００１４】
図２は表示部筐体３の分解斜視図である。表示部筐体３は、フロントケース１０と、リアケース２０と、表示部３０と、フレーム４０と、等から概略構成されている。
フロントケース１０とリアケース２０とは表示部３０及びフレーム４０を内部に入れた状態でネジ８，９により組み合わされる。
また、フロントケース１０の表示部３０と対向する部分には、表示部３０が外から見えるように透明な材料により形成されている。
【００１５】
図３はフロントケース１０、表示部３０、フレーム４０を組み合わせた状態を示す背面図であり、図４は図３のIV−IV矢視断面図であり、図５は図４のV部の拡大図であり、図６は図３のVI−VI矢視断面図であり、図７は図６のVII部の拡大図である。
【００１６】
フロントケース１０の背面の左右両端部には側壁１１，１１が設けられ、側壁１１，１１の間に表示部３０及びフレーム４０が配置される凹部１２が形成されている。側壁１１，１１には、リブ１３，１３，・・・、及び、係合突起１４，１４，・・・が上下方向に間隔を空けて設けられている。
【００１７】
リブ１３，１３，・・・はＴ字状であり、フレーム４０の位置を規正する。係合突起１４，１４，・・・はリアケース２０の凹部２４，２４，・・・と係合することで、フロントケース１０とリアケース２０とを嵌合させる。
なお、側壁１１，１１は、リアケースの切り欠き部２２，２２に配置されたフレーム４０の突出部４３，４３と当接する。
また、フロントケース１０の上端部にはネジ８が挿通される挿通孔１５，１５が設けられ、下端部にはネジ９が挿通される挿通孔１６，１６が設けられている。
【００１８】
リアケース２０の前面の左右端部には、表示部３０及びフレーム４０が間に配置される側壁２１，２１が設けられており、左右の側壁２１，２１の外側面には、フレーム４０の突出部４３，４３が配置される切り欠き部２２，２２が形成されている。また、左右の側壁２１，２１の内側面には、フレーム４０の複数の係合突起４２，４２，・・・と係合する複数の係合部２３，２３，・・・が上下方向に間隔を空けて設けられている。
【００１９】
また、リアケース２０の左右の側壁の外側面には、フロントケース１０の係合突起１４，１４，・・・が係合する凹部２４，２４，・・・が上下方向に間隔を空けて設けられている。
また、リアケース２０の上端部にはネジ８が螺合するネジ孔２５，２５が設けられ、下端部にはネジ９が挿通される挿通孔２６，２６が設けられている。
【００２０】
表示部３０は、前面に表示画面６を有するＬＣＤ等の表示装置３５が枠３１に嵌着されてなる。枠３１には左右の側部から背面方向に向かって突設された係止部３２，３２が設けられている。係止部３２，３２の側面にはそれぞれ係止突起３３，３３が設けられている。係止突起３３，３３には前面側ほど左右側方に突出するように側部に傾斜面が形成されており、係止部３２，３２を後面側の端部から貫通孔４４，４４に押し込むのを容易にしている。
【００２１】
また、係止部３２，３２には前後方向に貫通する長穴３４，３４が設けられている。長穴は上下方向に長尺であり、係止突起３３，３３が左右方向に動くように係止部３２，３２が弾性変形するのを許容する。
係止部３２，３２は後述するように、それぞれフレーム４０の貫通孔４４，４４に挿入され、係止部４５，４５に係止される。
【００２２】
フレーム４０は、例えばＭｇ合金等からなり、リアケース２０の前面側であって表示部３０の背面側に配置される。フレーム４０の前部には表示部３０が収納される凹部４１が設けられている。
【００２３】
フレーム４０の左右側面には、リアケース２０の係合部２３，２３，・・・と係合する複数の係合突起４２，４２，・・・が上下方向に離間して突設されているとともに、上下方向の中央部からフレーム４０の左右の側方に突出した突出部４３，４３が設けられている。突出部４３，４３にはそれぞれ係止部３２，３２が挿入される貫通孔４４，４４が凹部４１と隣接するように設けられている。また、突出部４３，４３には、貫通孔４４，４４の内側に向かって突出する係止部４５，４５が設けられている。係止部４５，４５には係止突起３３，３３が係止される。
【００２４】
フレーム４０の上端部には、ネジ８が挿通される挿通孔４６，４６が設けられている。また、フレーム４０の下端部には、ネジ９が螺合するネジ孔４７，４７が設けられている。
また、フレーム４０の上部には前後方向に貫通する挿通孔４８が設けられている。挿通孔４８には、表示部３０の表示装置３５から延出する配線７１が挿通される。フレーム４０の背面には回路基板７０が配置され、挿通孔４８に挿通された配線７１は回路基板７０に接続される。
【００２５】
なお、フレーム４０の下端部は、図示しないネジによりヒンジユニット５０と接合されている。また、フレーム４０の右下角部には、弾性材６０が取り付けられている。弾性材６０は、表示部筐体３が上下方向の軸を中心に回転させている途中で左右方向の軸を中心に回転させた場合に、表示部筐体３の右下角部が操作部筐体２にぶつかってキー操作部５を傷つけるのを防止する役割を果たす。
【００２６】
以下、表示部筐体３の組み立て方法について説明する。
まず、フレーム４０の凹部４１に表示部３０を配置するとともに、貫通孔４４，４４に係止部３２，３２を挿入し、係止部４５，４５に係止突起３３，３３を係止させる。
【００２７】
次に、フレーム４０を図示しないネジによりヒンジユニット５０と接合する。
次に、表示部３０の配線をフレーム４０の裏側に配置された回路基板７０と接続するとともに、回路基板７０をヒンジユニット５０に挿通された図示しない配線と接続する。
【００２８】
次に、フレーム４０をリアケース２０の側壁２１，２１の間に表示部３０及びフレーム４０を配置し、係合突起４２，４２，・・・を係合部２３，２３，・・・に係合させる。このとき、フレーム４０の突出部４３，４３は切り欠き部２２，２２に配置される。
【００２９】
次に、フロントケース１０の側壁１１，１１に、一体となった表示部３０、フレーム４０及びリアケース２０を配置し、フロントケース１０の係合突起１４，１４，・・・をリアケース２０の凹部２４，２４，・・・に係合させる。このとき、フレーム４０の左右の側面にリブ１３，１３，・・・が当接するとともに、フレーム４０の突出部４３，４３はフロントケース１０に当接する。このため、リアケース２０に対するフロントケース１０の位置規正を容易に行うことができる。
【００３０】
なお、フロントケース１０の側壁１１，１１の間に表示部３０及びフレーム４０を配置してから、リアケース２０の係合部２３，２３，・・・にフレーム４０の係合突起４２，４２，・・・を係合させるとともに、リアケース２０の凹部２４，２４，・・・にフロントケース１０の係合突起１４，１４，・・・を係合させてもよい。
【００３１】
その後、ネジ８を挿通孔１５，１５及び挿通孔４６，４６に挿通してネジ孔２５，２５に螺合させるとともに、ネジ９を挿通孔１６，１６及び挿通孔２６，２６に挿通してネジ孔４７，４７に螺合させることで、表示部筐体３が完成する。
【００３２】
以上のようにして組み立てられた、本実施の形態に係る携帯電話機１においては、フレーム４０の左右の側方にから突出した突出部４３，４３がフロントケース１０の側壁１１，１１に当接するため、蓋体の耐加圧剛性を高めることができる。このため、表示部筐体３の左右側方から外力による圧縮荷重を受けても、フレーム４０の剛性により変形を抑制し、破損を防止することができる。また、フレーム４０の突出部４３，４３がリアケース２０の切り欠き部２２，２２に配置され、直接フロントケース１０の側壁１１，１１に当接するため、リアケース２０の厚さ分、表示部筐体３の幅を小さくすることができる。
【００３３】
＜第２実施形態＞
図８（ａ）は本発明の第２実施形態に係る係止部１３２及び突出部１４３を示す断面図であり、図８（ｂ）は係止部１３２及び突出部１４３を示す背面図である。なお、第１実施形態と同様の構成については、下２桁に同符号を付して説明を割愛する。
【００３４】
本実施形態においては、係止部１３２に係止突起３３の代わりに、係止穴１３３が設けられている。また、突出部１４３には、貫通孔１４４側に係止突起１４６が設けられている。本変形例においては、係止突起１４６が係止穴１３３に係止されるように係止部１３２を貫通孔１４４に挿入することで、表示部１３０がフレーム１４０に固定される。
【００３５】
＜変形例２＞
図９（ａ）は本発明の第２実施形態に係る係止部２３２及び突出部２４３を示す断面図であり、図９（ｂ）は係止部２３２及び突出部２４３を示す背面図である。なお、第１実施形態と同様の構成については、下２桁に同符号を付して説明を割愛する。
【００３６】
本実施形態においては、係止部２３２に係止突起２３３が設けられている。また、突出部２４３には、貫通孔２４４側にゴム等の弾性体２４６が設けられている。本変形例においては、係止部２３２を貫通孔２４４に挿入することで、係止突起２３３が弾性体２４６に当接して固定され、表示部２３０がフレーム２４０に固定される。
【００３７】
なお、上記実施形態においては、表示画面６を設けた表示部筐体３について説明したが、本発明はこれに限らず、操作部筐体２に本発明を適用することも可能である。また、以上の実施形態では、携帯電話機１を例に挙げて説明を行ったが、この他にも、ノート型パーソナルコンピュータ、ＰＤＡ（Personal Digital Assistance）、電子手帳、携帯型無線機、その他の携帯電子機器に本発明を適用してもよい。
【図面の簡単な説明】
【００３８】
【図１】本発明の実施形態に係る携帯電子機器として携帯電話機１を示す斜視図である。
【図２】表示部筐体３の分解斜視図である。
【図３】フロントケース１０、表示部３０、フレーム４０を組み合わせた状態を示す背面図である。
【図４】図３のIV−IV矢視断面図である。
【図５】図４のV部の拡大図である。
【図６】図３のVI−VI矢視断面図である。
【図７】図６のVII部の拡大図である。
【図８】（ａ）は本発明の第２実施形態に係る係止部１３２及び突出部１４３を示す断面図であり、（ｂ）は係止部１３２及び突出部１４３を示す背面図である。
【図９】（ａ）は本発明の第２実施形態に係る係止部２３２及び突出部２４３を示す断面図であり、（ｂ）は係止部２３２及び突出部２４３を示す背面図である。
【符号の説明】
【００３９】
１  携帯電話機（携帯電子機器）
３  表示部筐体（筐体）
１０  フロントケース（第１のケース）
１３  リブ
２０  リアケース（第２のケース）
３０，１３０，２３０  表示部
３１，１３１，２３１  枠
３２，１３２，２３２  係止部
３５，１３５，２３５  表示装置
４０，１４０，２４０  フレーム
７０   回路基板
７１   配線
【図１】
2008288972.tif 000003
【図２】
2008288972.tif 000004
【図３】
2008288972.tif 000005
【図４】
2008288972.tif 000006
【図５】
2008288972.tif 000007
【図６】
2008288972.tif 000008
【図７】
2008288972.tif 000009
【図８】
2008288972.tif 000010
【図９】
2008288972.tif 000011